(57)【特許請求の範囲】
【請求項１】
ＲＦ信号の増幅と選局と中間周波数信号の生成とを行うＲＦ増幅部と、該ＲＦ増幅部で選局された受信信号の中間周波数信号について、アナログ放送信号の振幅を示す第１振幅値とディジタル放送信号の振幅を示す第２振幅値とを測定して出力する振幅測定手段と、前記選局された放送がアナログ放送であるかディジタル放送であるかを前記中間周波数信号を基に判別する放送方式判別装置と、前記振幅測定手段の出力を基にして前記ＲＦ増幅部の増幅度を制御するためのＡＧＣ電圧を生成するＡＧＣ電圧生成手段とを備えた放送受信装置において、
前記中間周波数信号の中心周波数近傍を含む周波数帯で前記第１振幅値を測定し、前記中間周波数信号の中心周波数から所定値以上離れた周波数帯で前記第２振幅値を測定して、前記第１振幅値と第２振幅値のいずれか一方の値を前記放送方式判別装置の出力に応じて選択し、該選択した値を基にして１つのＡＧＣ電圧を生成し、さらにその際、該ＡＧＣ電圧の生成のために前記ＡＧＣ電圧生成手段に供給される前記第１振幅値又は第２振幅値に所定の係数を乗算することによって、前記選局された放送がアナログ放送である場合とディジタル放送である場合とで前記ＡＧＣ電圧生成手段を兼用できるようにしたことを特徴とする放送受信装置。
【請求項２】
ＲＦ信号の増幅と選局と中間周波数信号の生成とを行うＲＦ増幅部と、該ＲＦ増幅部で選局された受信信号の中間周波数信号について、アナログ放送信号の振幅を示す第１振幅値とディジタル放送信号の振幅を示す第２振幅値とを測定して出力する振幅測定手段と、前記選局された放送がアナログ放送、ディジタル放送、又は両放送の混在する放送のいずれであるかを前記中間周波数信号を基に判別する放送方式判別装置と、前記振幅測定手段の出力を基にして前記ＲＦ増幅部の増幅度を制御するためのＡＧＣ電圧を生成するＡＧＣ電圧生成手段とを備えた放送受信装置において、
前記中間周波数信号の中心周波数近傍を含む周波数帯で前記第１振幅値を測定し、前記中間周波数信号の中心周波数から所定値以上離れた周波数帯で前記第２振幅値を測定して、前記選局された放送が、アナログ放送である場合は前記第１振幅値、ディジタル放送又は両放送の混在する放送である場合は前記第２振幅値を選択し、該選択した値を基にして１つのＡＧＣ電圧を生成し、さらにその際、該ＡＧＣ電圧の生成のために前記ＡＧＣ電圧生成手段に供給される前記第１振幅値又は第２振幅値に所定の係数を乗算することによって、前記選局された放送がアナログ放送、ディジタル放送及び両放送の混在する放送である場合において前記ＡＧＣ電圧生成手段を兼用できるようにしたことを特徴とする放送受信装置。
【請求項３】
前記振幅測定手段は、前記中間周波数信号の中心周波数から所定値以上離れた周波数帯で前記第２振幅値を測定する際に、ハイパスフィルタ又はローパスフィルタを介して測定することを特徴とする請求項１又は２記載の放送受信装置。
【請求項４】
前記放送方式判別装置は、前記第１振幅値と第２振幅値とによって放送方式を判別することを特徴とする請求項１乃至３のいずれかに記載の放送受信装置。
【請求項５】
前記放送方式判別装置の出力に応じて、前記第１振幅値と第２振幅値とから一方を選択して前記ＡＧＣ電圧生成手段に与えるＡＧＣ切替えスイッチを有することを特徴とする請求項１乃至４のいずれかに記載の放送受信装置。
【請求項６】
前記放送方式判別装置で放送方式を判別する間は、放送方式にかかわらず前記第１振幅値を用いて前記ＡＧＣ電圧を生成することを特徴とする請求項１乃至請求項５のいずれかに記載の放送受信装置。
【発明の詳細な説明】
【０００１】
【発明の属する技術分野】
本発明は、略同一の中心周波数で同時に放送されるアナログ放送とディジタル放送がある場合にも、前記ディジタル放送を正常に受信できる放送受信装置に関し、特にそのＲＦ増幅部の利得制御に関する。
【０００２】
【従来の技術】
最近、アナログ放送とディジタル放送とを同一の放送個所から同時に放送する放送方式が提案されている。例えば、米国のＦＣＣに提案されているＩＢＯＣ（In Band On Channel）システムと呼ばれる放送方式などがそれにあたる。
前記ＩＢＯＣシステムにおけるディジタル放送ではマルチキャリア伝送方式が用いられ、このようなマルチキャリア伝送方式を用いたディジタル放送、及びアナログ放送を受信可能なアナログ放送／ディジタル放送兼用受信装置、またはマルチキャリア伝送方式を用いたディジタル放送の受信装置では、ＲＦ増幅部で選局（同調）された周波数近傍に、アナログ放送の信号が存在する場合には、ディジタル放送受信時におけるＲＦ増幅部の自動利得制御（以下、自動利得制御をＡＧＣとも記す）が困難になるという問題がある。
ディジタル放送受信時におけるＲＦ増幅部のＡＧＣは本来、受信したディジタル放送の信号の振幅を検出し、該振幅が所定の振幅になるようにＲＦ増幅部の利得を自動制御するものであるが、アナログ放送の信号をも含む中間周波数信号から放送信号の振幅を検出した場合には、該検出した振幅を基にしてＡＧＣ回路を動作させると、アナログ放送の信号の振幅に応じてＡＧＣ回路が動作することとなり、受信対象のディジタル放送の信号の振幅を所定値に維持することが出来なくなるのである。
【０００３】
例えば、前記ＩＢＯＣシステムでは、アナログ放送であるＦＭオーディオ放送が４００ｋＨｚ間隔で配置され、該ＦＭオーディオ放送のスペクトルの隙間に、ディジタル放送のスペクトルが存在するようにして放送が行われ、両者の中心周波数は略同一である。ディジタル放送は、例えば欧州規格（Ｅｕｒｅｋａ １４７）に準拠したＤＡＢシステム（規格はETS300401）によるディジタルオーディオ放送などの放送である。前記ＤＡＢシステムにおけるＤＡＢ信号は、直交周波数分割多重変調方式即ちＯＦＤＭ（Orthogonal Frequency Division Multiplex）で変調されたＯＦＤＭ信号として送信される。
【０００４】
ディジタルオーディオ放送のＯＦＤＭの変調信号とアナログ放送のＦＭ変調信号とが混在している或る周波数に、ＲＦ増幅部が同調した場合、受信されたＲＦ信号から生成された中間周波数信号では、中心周波数近傍の所定の周波数範囲に、振幅が大きなＦＭオーディオ放送の信号と、振幅が小さな多数のキャリアで構成されるディジタル放送の信号とが混在している。
アナログ放送とディジタル放送とを受信可能とする従来の受信装置では、ＲＦ増幅部をアナログ放送とディジタル放送とで共通にするために、復調又は検波した受信信号を用いて放送方式の判別し、また、放送方式ごとに設けた復調回路又は検波回路における信号振幅を検出し、この検出値が所定値になるようにＲＦ増幅部のＡＧＣ回路を前記判別した放送方式に応じて切り替えて、ＲＦ増幅部の利得を自動制御していた。
【０００５】
以下、従来のアナログ/ディジタル兼用受信装置における方式判別装置とＡＧＣ回路の一例について、図４を基に説明する。図４は従来のアナログ/ディジタル兼用受信装置の一例を示すブロック図である。ここではアナログ放送もディジタル放送もテレビジョン放送である場合を例に説明する。
図４において、５０はアナログ／ディジタル兼用のテレビジョン（ＴＶ）放送受信装置である。アンテナ４７から供給された信号からＲＦ増幅部４９で特定の放送が選局され、その中間周波数信号ｐが放送方式スイッチ５１に供給される。
ＲＦ増幅部４９の図示しない混合器から出力される中間周波数信号は、図示しない中間周波フィルタで中間周波数信号以外の不必要な信号が除去されて中間周波数信号ｐとして放送方式スイッチ５１に供給される。放送方式スイッチ５１はビデオ信号判別回路５９から供給される放送方式選択信号ｈに応じて、放送がアナログのテレビ放送の場合は信号ｐを信号ｑとして映像検波回路５３に与え、ディジタル放送の場合は信号ｐを信号ｒとしてＩ／Ｑ検波回路５６に与える。
【０００６】
放送が振幅変調されたアナログ放送の場合は、映像検波回路５３はＡＭ検波された信号ｓａをビデオ処理回路５４へ出力する。ビデオ処理回路５４はビデオ信号ｖａを次段に出力すると共に、ビデオ信号判別回路５９にも出力する。
放送が多重ＰＳＫ変調されたディジタル放送の場合は、Ｉ／Ｑ検波回路５６はＩ／Ｑ検波された信号ｓｄをディジタル復調回路５７に出力する。該ディジタル復調回路５７は内蔵するディジタル／アナログ変換器（ＤＡＣ）を介して、アナログの復調ビデオ信号ｖｄを次段に出力すると共に、ビデオ処理回路５９にも出力する。
【０００７】
ＡＧＣ電圧生成手段６１はアナログ放送受信用のＡＧＣ電圧を生成するためのものであり、映像検波回路５３から出力される検波出力の振幅に応じたＡＧＣ電圧ｙを生成してＡＧＣ切り替えスイッチ６３に印加する。ＡＧＣ電圧生成手段６２はディジタル放送受信用のＡＧＣ電圧を生成するためのものであり、Ｉ/Ｑ検波回路５６から出力される検波出力の振幅に応じたＡＧＣ電圧ｚを生成してＡＧＣ切り替えスイッチ６３に印加する。ＡＧＣ切り替えスイッチ６３は前記ＡＧＣ電圧ｙ及びｚから一方の信号を、放送方式選択信号ｈに応じて選択し、信号（ＡＧＣ電圧）ｘとしてＲＦ増幅部４９に印加する。
【０００８】
兼用ＴＶ受信装置５０では、受信時にはまず放送方式スイッチ５１及びＡＧＣ切り替えスイッチ６３をアナログ放送側に切り替えておく。そして、ビデオ信号判別回路５９は、例えばビデオ信号の同期パルスがあるかどうか等により、ビデオ信号ｖａが正しいビデオ信号かどうかを判別する。正しければアナログのテレビ放送を受信しているものと見なし、正しくなければ、アナログのテレビ放送を受信できなかったものと見なし、放送方式スイッチ５１及びＡＧＣ切り替えスイッチ６３をディジタル放送側に切り替える。
【０００９】
次に、ビデオ信号判別回路５９は、復調された信号ｖｄが正しいビデオ信号であるかどうか判別する。そして、正しければディジタル放送を受信しているものと見なし、正しくなければディジタル放送を受信できなかったものと見なす。
このようにして、ＲＦ増幅部４９で選局された放送がアナログ放送であるかディジタル放送であるかを、ビデオ信号判別回路５９で判別し、放送方式選択信号ｈを介して、放送方式スイッチ５１及びＡＧＣ切り替えスイッチ６３を正しいビデオ信号が得られる方へ切り替えることが出来る。
【００１０】
【発明が解決しようとする課題】
前記した従来例装置では、或る周波数で受信が開始された場合において、受信した周波数にアナログ放送信号とディジタル放送信号とが混在している場合であっても、正常なＡＧＣ回路の動作を行わせることが出来る。しかしながら、前記した従来例装置では、ディジタル復調回路における同期処理を行ってディジタル復調信号が得られるまでは、ディジタル放送を受信できたかどうかの判断が出来ない。これは、ディジタル放送信号で長い期間に跨ってタイムインターリーブが施されている場合には特に顕著である。即ち、一般的にディジタル放送ではタイムインターリーブが行われるが、該タイムインターリーブが解除され、同期処理が終了するまでに長時間を要し、このためにディジタル復調回路から出力される復調出力を基にして放送方式を判別する処理が短時間で終了できず、放送方式に合致するＡＧＣ電圧に速やかに切り替えることが出来ないという問題があった。
本発明の放送方式判別装置は前記問題点に鑑みてなされたものであり、その目的は、略同一の中心周波数でアナログ放送とマルチキャリア伝送方式によるディジタル放送とが同時に行われている電波環境下においても、選局開始後、速やかにディジタル放送受信装置におけるＲＦ増幅部の利得を適正値に制御する放送受信装置を提供することである。
【００１１】
【説題を解決するための手段】
本発明は上記目的を達成するために次のような構成でなされたものである。
第１の発明は、ＲＦ信号の増幅と選局と中間周波数信号の生成とを行うＲＦ増幅部と、該ＲＦ増幅部で選局された受信信号の中間周波信数信号について、アナログ放送信号の振幅を示す第１振幅値とディジタル放送信号の振幅を示す第２振幅値とを測定して出力する振幅測定手段と、前記選局された放送がアナログ放送であるかディジタル放送であるかを前記中間周波数信号を基に判別する放送方式判別装置と、前記振幅測定手段の出力を基にして前記ＲＦ増幅部の増幅度を制御するためのＡＧＣ電圧を生成するＡＧＣ電圧生成手段とを備えた放送受信装置において、前記中間周波数信号の中心周波数近傍を含む周波数帯で前記第１振幅値を測定し、前記中間周波数信号の中心周波数から所定値以上離れた周波数帯で前記第２振幅値を測定して、前記第１振幅値と第２振幅値のいずれか一方の値を前記放送方式判別装置の出力に応じて選択し、該選択した値を基にしてＡＧＣ電圧を生成するようにした放送受信装置である。
【００１２】
本発明によれば、ディジタル放送受信装置、又はディジタル放送／アナログ放送兼用受信装置でディジタル放送を受信する場合に、中心周波数が略同一のアナログ放送とディジタル放送とが混在する電波環境においても、受信した放送がアナログ放送であるか、ディジタル放送であるかを判別する放送方式判別が、Ｉ／Ｑ検波やディジタル復調をする前の信号を用いて短時間で行われる。また、受信したディジタル放送信号の振幅測定は、アナログ放送信号の振幅測定とは、測定する周波数帯を異なるものとすることにより、アナログ放送信号の振幅と分離して測定することが出来る。そしてＡＧＣ電圧を生成する際に、第１の振幅値と第２の振幅値のいずれを用いるかが、前記放送方式の判別結果に応じて切り替えられる。従って、中心周波数が略同一のアナログ放送とディジタル放送とが混在し、アナログ放送信号のスペクトルが分布する周波数帯とディジタル放送信号のスペクトルが分布する周波数帯とが近接している電波環境においても、ディジタル放送を受信開始後、ＲＦ増幅部の利得を速やかに適正値に制御することが出来るようになる。
【００１３】
第２の発明は、第１の発明の放送受信装置において、前記振幅測定手段が前記中間周波数信号の中心周波数から所定値以上離れた周波数帯で前記第２振幅値を測定する際に、ハイパスフィルタ又はローパスフィルタを介して測定するようにした放送受信装置である。
【００１４】
アナログ放送信号のスペクトラムが分布する周波数帯の両側に、ディジタル放送信号のスペクトラムが分布する周波数帯があり、本発明によればそのうちの一方の周波数帯の信号を簡単な回路構成で取り出すことが出来、ディジタル放送信号の振幅を容易に測定することが出来る。
【００１５】
第３の発明は、第１又は第２の発明の放送受信装置において、前記放送方式判別装置は、前記第１振幅値と第２振幅値とによって放送方式を判別するようにした放送受信装置である。
【００１６】
本発明によれば、第１振幅値を得るための振幅測定では、アナログ放送信号又はディジタル放送信号の振幅を示す値が得られ、第２の振幅値を得るための振幅測定では、ディジタル放送信号の振幅を示す値が得られる。また、アナログ放送信号の振幅はディジタル放送信号のそれより大きいから、アナログ放送信号とディジタル放送信号が混在する場合、又はアナログ放送信号のみの場合には、第１の振幅値はアナログ放送信号の振幅を示し、ディジタル放送信号のみの場合には、第１の振幅値もディジタル放送信号の振幅値と同じになる。このことから、第１の振幅値と第２の振幅値の値を調べることにより、放送方式が判別できる。
【００１７】
第４の発明は、第１の発明乃至第３の発明のいずれかの放送受信装置において、前記放送方式判別装置の出力に応じて、前記第１振幅値と第２振幅値とから一方を選択して前記ＡＧＣ電圧生成手段に与えるＡＧＣ切替えスイッチを有するようにした放送受信装置である。
【００１８】
本発明によれば、アナログ放送信号の振幅値とディジタル放送信号の振幅値とのうちＡＧＣに必要な振幅値が、検出された放送方式に応じて自動的に選択されるから、放送方式にかかわらず、正常なＡＧＣをかけることが出来る。
【００１９】
第５の発明は、第１の発明乃至第４の発明のいずれかの放送受信装置において、前記ＡＧＣ電圧生成手段は、前記振幅測定手段から出力された前記第１振幅値に１より小さい係数を乗算して補正する補正器を有し、前記選局された放送がアナログ放送である場合には、前記補正器で補正した値を基にＡＧＣ電圧を生成するようにした放送受信装置である。
【００２０】
本発明によれば、アナログ放送信号の振幅はディジタル放送信号のそれより大きいから、アナログ放送信号の振幅を所定の補正係数によって小さくすることにより、アナログ放送とディジタル放送で夫々個別に制御を行いながらも、アナログ放送とディジタル放送とでＡＧＣ回路の多くの部分を兼用するこが出来る。
【００２１】
第６の発明は、第１の発明乃至第５の発明のいずれかの放送受信装置において、
前記放送方式判別装置で放送方式を判別する間は、放送方式にかかわらず前記第１振幅値を用いて前記ＡＧＣ電圧を生成するようにした放送受信装置である。
【００２２】
本発明によれば、放送方式を判別中に、中間周波数信号にアナログ放送信号が含まれている場合であっても、ＲＦ増幅回路が飽和するのを防止することが出来るから、放送方式の判別を正確に行うことが出来る。
【００２３】
【発明の実施の形態】
本発明の放送受信装置は、ディジタル放送受信装置、又は、アナログ放送／ディジタル放送兼用受信装置に関し、前記ディジタル放送はマルチキャリア伝送方式を用いたディジタル放送であって、受信信号の中間周波信数信号について、その中心周波数近傍の周波数を含む周波数帯でアナログ放送信号の振幅を計測して第１振幅値とし、前記中心周波数近傍の周波数を含まず、前記中心周波数から所定値以上離れた周波数帯でディジタル放送信号の振幅を計測して第２振幅値とする。そして、選局された放送がアナログ放送であるかディジタル放送であるかを前記中間周波数信号を基に判別し、該判別結果に応じて前記第１振幅値又は第２振幅値のいずれかを選択して、該選択した値を基にＡＧＣ電圧を生成して、アナログ放送とディジタル放送とが混在する環境においても、受信する放送の方式に応じて、速やかにＡＧＣをかけられるようにした放送受信装置である。
【００２４】
即ち、略同一の中心周波数を有するアナログ放送とディジタル放送とが混在する場合には、中間周波数信号において、その中心周波数近傍を含む周波数帯にアナログ放送信号のスペクトラムが存在し、その周波数帯の外側にディジタル放送信号のスペクトラムが存在する。また、アンテナから入来するアナログ放送信号の振幅がディジタル放送信号の振幅より大きく、アナログ放送とディジタル放送の信号は略所定の振幅比で受信されるから、ある増幅度を有するＲＦ増幅回路から出力される中間周波数信号においても、同様にアナログ放送信号の振幅がディジタル放送信号の振幅より大きく、アナログ放送とディジタル放送の信号は略所定の振幅比を有する。また、この原理を利用して放送方式の判別が行われる。
中間周波数信号による振幅測定では、アナログ放送信号の振幅値である第１振幅値は、中心周波数近傍を含む周波数帯で計測され、ディジタル放送信号の振幅値である第２振幅値は、中心周波数近傍を含まない周波数帯で計測される。
そして、ＡＧＣ電圧の生成や、ＡＧＣ切り替えスイッチの制御には、Ｉ／Ｑ検波やディジタル復調が行われる前の信号が用いられるから、ＲＦ増幅部には、選局開始後短時間で、放送方式に適合したＡＧＣ電圧を供給することができる。
【００２５】
以下、本発明の実施の形態について図１及び図２を参照して説明する。
まず、アナログ放送とディジタル放送とが、同一のアンテナから同時に放送される例として、現在米国FCC  (Federal Communications Committee：アメリカの連邦通信委員会)に提案されているＩＢＯＣシステムについて図３と共に説明する。
図３はＩＢＯＣシステム放送方式における送信時の電力スペクトル分布を示す図である。図３において、横軸は周波数であり、アナログ放送であるＦＭオーディオ放送の中心周波数を０として該中心周波数からのずれを示す。縦軸は放送波における電力スペクトラムの強度を示し、点線はＦＭオーディオ放送のものであり、実線はＦＭオーディオ放送の隙間を利用して放送されるディジタルオーディオ放送のものである。該ディジタルオーディオ放送の中心周波数はアナログ放送のそれと同じである。
【００２６】
前記ＦＭオーディオ放送は４００ｋＨｚ間隔で配置されている。即ち隣接するＦＭオーディオ放送同士は、その中心周波数が４００ｋＨｚ離間して配置される。ディジタルオーディオ放送の中心周波数は前記ＦＭオーディオ放送の中心周波数と同一であり、ディジタルオーディオ放送波の電力スペクトラムはＦＭオーディオ放送波の電力スペクトラムの外側に分布する。
例えば点線で示すＦＭオーディオ放送波の電力スペクトラム強度は０．３５ｄｂ／ｋＨｚ程度の傾斜を持ち、電力スペクトラムは中心周波数に対し略±１２９ｋＨｚの範囲内に分布する。
【００２７】
一方、実線で示すディジタルオーディオ放送波の電力スペクトラムは中心周波数に対し±（１２９ｋＨｚ〜１９９ｋＨｚ）に分布する。
ＩＢＯＣシステム放送方式のようにアナログ放送とディジタル放送が同時になされる場合には、同一のアンテナから送信され、同一のアンテナで受信される。従って図３に示すような電力スペクトラム強度は、アナログ放送とディジタル放送において所定の比率で放送され、受信時にも同じ比率を有するものとなる。例えば、図３の例では、アナログ放送の場合は−１７ｄｂで、ディジタル放送の場合は−４２ｄｂでその差は２５ｄｂである。
【００２８】
前記ＩＢＯＣシステムは、ＦＭオーディオ放送とディジタルオーディオ放送を同じ中心周波数で同時に放送しても、両者の電力スペクトラムが重ならないようにして互いの干渉を防ぎ、同時の放送を可能にしようとするものである。また、電波環境としては、前記したＩＢＯＣシステムのようにアナログ放送とディジタル放送が同時になされる場合の他に、アナログ放送だけの場合や、ディジタル放送だけの場合もある。このため、受信時には、受信した放送がどの放送方式のものであるかを検知し、その結果に応じてＡＧＣ回路を切り替える必要がある。また、アナログ放送とディジタル放送の兼用受信装置の場合は、復調回路も放送方式選択信号に応じて切り替える必要がある。
【００２９】
図１は本発明放送受信装置の一実施例を示すブロック図であり、図２は本発明における振幅測定手段及び放送方式判別装置の第１実施例を示すブロック図である。
本発明放送受信装置はアナログ放送を受信する機能を併せ持つものでも良いが、ここではアナログ放送の受信機能に関しては、記載を省略する。
図１について、アナログ放送がＦＭオーディオ放送であり、ディジタル放送がＤＡＢオーディオ放送である場合を例にして説明する。また、このＤＡＢシステムでは、変調方式としてＯＦＤＭ（直交周波数分割多重方式:Orthogonal Frequency Division Multiplex）が採用されているものとして説明する。
図１において、ディジタル放送受信装置１０での受信開始の指示やサーチ開始の指示はユーザから図示しない操作パネルを介してマイクロプロセッサ（ＭＰＵ）３５に与えられる。受信するディジタルオーディオ放送の周波数情報は受信周波数設定信号ＦとしてＭＰＵ３５からＲＦ増幅部１３の図示しないＰＬＬ回路に送られる。
【００３０】
ＲＦ増幅部１３は図２に示すように、アンテナ１１から供給されたＲＦ信号をＡＧＣ電圧に応じた増幅度で増幅するＲＦ増幅回路１３Ａと、図示しないＰＬＬ回路を有して受信周波数設定信号Ｆに応じた周波数で発振する局部発振器１３Ｃと、ＲＦ増幅回路１３Ａから送出されるＲＦ信号と局部発振器１３Ｃの出力とを混合して所定の中間周波数信号を出力する混合器１３Ｂと、該混合器１３Ｂから出力される信号から中間周波数信号以外の信号を除去する中間周波フィルタ１３Ｄ等で構成される。該中間周波フィルタ１３Ｄは例えばＳＡＷフィルタで構成される。
【００３１】
前記ＲＦ増幅部１３では、アンテナ１１から供給されたＲＦ信号が増幅され、そのうちの特定周波数とその近傍周波数の搬送波が受信され、信号処理され、所定の中間周波数信号（ＩＦ信号）に変換され、中間周波フィルタ１３Ｄを通った中間周波数信号ｅがＯＦＤＭ復調器１９と振幅測定手段１７と放送方式判別装置２０とに与えられる。前記した特定周波数とその近傍周波数の搬送波を受信することは、一般的に選局とも言われる。
【００３２】
図１に示すＯＦＤＭ復調器１９は、図示しないアナログ／ディジタル変換器（Ａ／Ｄ変換器）、Ｉ／Ｑ検波器、ＦＦＴ、ＤＳＰなどで構成される。ＲＦ増幅部１３で選局された放送がディジタルオーディオ放送（ＤＡＢ）のときは、ＯＦＤＭ復調器１９では、アナログ信号がディジタル信号に変換され、後段でＯＦＤＭ信号が処理できるように、Ｉ／Ｑ検波器でＩ信号とＱ信号とに分割され、ＦＦＴに供給される。また、ＦＦＴとＤＳＰ（ディジタル演算装置）によって高速フーリエ変換が行われ、この演算結果はチャンネルデコーダ２１に供給される。チャンネルデコーダ２１では、信号の順番を元の順に戻す周波数デ・インターリーブ（de-interleaving）、ＱＰＳＫシンボルデマッピング、ＦＩＣとＭＳＣの分離などが行われ、さらにタイム・デ・インターリーブや、送信されなかったコードビットを挿入して元のデータに戻すデ・パンクチャリング（de-pancturing）や、誤り符号の検出や訂正などが行われる。
【００３３】
チャンネルデコーダ２１からはＤＡＢオーディオフレームが復号器２３に与えられる。復号器２３に与えられるオーディオ情報は、ＭＰＥＧオーディオ・レイヤ２を用いて圧縮されたオーディオ情報であり、復号器２３では前記圧縮されたオーディオ情報が復号されて圧縮が解除され、復号されたオーディオデータｊが次段のＤ／Ａ変換器に供給される。
【００３４】
ＲＦ増幅部１３は中間周波数信号ｅを振幅測定手段１７、ＯＦＤＭ復調器１９、放送方式判別装置２０に印加する。振幅測定手段１７は供給された中間周波数信号について、別々の周波数帯で振幅を所定時間測定し、それぞれの平均値を比較＆判別手段３３に出力する。比較＆判別手段３３は前記信号ｍの値Ｍと信号ｎの値Ｎとを比較して放送方式を算出し、この算出結果である放送方式判別信号ｃをＭＰＵ３５に供給する。
【００３５】
放送方式判別装置２０では中間周波数信号ｅを用いて、受信した放送がアナログ放送であるか、ディジタル放送であるか、両者が混在する放送であるかが判別され、その結果である放送方式判別信号ｃがＭＰＵ３５に供給される。
図５は本発明における放送方式判別信号ｃと放送方式選択信号ｓと復調制御信号ｕの一例を示す図である。図５に示す例では、放送方式判別信号ｃは２ビットの符号であり、放送方式がアナログ放送のみのときは０１、ディジタル放送のみの時は１０、アナログ放送とディジタル放送が混在しているときは１１である。ＭＰＵ３５は放送方式判別信号ｃに応じて放送方式選択信号ｓをＡＧＣ切り替えスイッチ１５とＡＧＣ電圧生成手段１４とに印加し、復調制御信号ｕをＯＦＤＭ復調器１９に印加する。
【００３６】
ＭＰＵ３５は放送方式判別信号ｃに応じて、受信した放送がディジタル放送のみの場合、及びディジタル放送とアナログ放送が混在している場合は、放送方式選択信号ｓとして０を出力し、受信した放送がアナログ放送のみの場合は前記放送方式選択信号ｓとして１を出力し、ＡＧＣ切り替えスイッチ１５とＡＧＣ電圧生成手段１４とに印加する。復調制御信号ｕについては、受信した放送がアナログ放送のみの場合は０とし、受信した放送がディジタル放送のみ、又はアナログ放送とディジタル放送が混在している場合は１としてＯＦＤＭ復調器１９に印加し、ＯＦＤＭ復調器１９は復調制御信号ｕが１の時にのみ復調信号をチャンネルデコーダ２１に出力する。
【００３７】
図２に示すように、振幅測定手段１７は、第１振幅測定手段２９、ハイパスフィルタ（ＨＰＦ）２７、第２振幅測定手段３１で構成され、中間周波数信号ｅの異なる２つの周波数帯の夫々において、信号ｅの振幅を所定時間計測し、それぞれの平均値を示す信号ｍ、ｎを比較＆判別手段３３とＡＧＣ切替えスイッチ１５とに供給する。第１の前記周波数帯は中間周波数信号ｅの中心周波数近傍の帯域を含む周波数帯であり、ＦＭオーディオ放送のスペクトラムが存在する周波数帯を概ね含むようにするが、ディジタル放送のスペクトラムが存在する周波数帯をも含むように周波数帯を広くしても支障ない。第２の前記周波数帯は中間周波数信号ｅの中心周波数近傍の帯域を含まない周波数帯であり、中心周波数から所定周波数以上離間した周波数帯であって、ＦＭオーディオ放送のスペクトラムが存在する周波数帯を殆ど含まず、ディジタル放送のスペクトラムが存在する周波数帯を含むようにする。前記構成により、信号ｍはＦＭ放送信号の振幅値Ｍを表し、信号ｎはディジタル放送信号の振幅値Ｎを表すものとなる。
【００３８】
ＡＧＣ切替えスイッチ１５は、前記信号ｓに応じて前記信号ｍ、ｎから一つを選択して、ＡＧＣ電圧生成手段１４に与える。ＡＧＣ電圧生成手段１４はＡＧＣ切替えスイッチ１５から与えられた信号からＡＧＣ電圧を生成しＲＦ増幅部１３に与える。
ＡＧＣ電圧生成手段１４は補正器１８を有する。補正器１８は信号ｍの値に対して、１より小さい所定の係数ｋを乗算して、信号ｍの値Ｍを補正する。前記係数ｃｃは、信号ｍの値Ｍに係数ｃｃを乗算した値（Ｍ×ｋ）と、信号ｎの値Ｎとが、略同じ値になるように設定した場合には、ＲＦ増幅部の増幅度をアナログ放送とディジタル放送とで同一にすることが出来る。しかしこのように設定した場合には振幅の大きいアナログ放送信号がＲＦ増幅部１３で飽和する恐れがあるので、アナログ放送のときは、ディジタル放送時よりＲＦ増幅部１３の増幅度が低くなるように係数ｋを設定する。該補正は信号ｎに対しては行われない。そして、ＡＧＣ電圧生成手段１４において補正を行うか行わないかの制御は、放送方式選択信号ｓに基づいて行われる。
【００３９】
前記したように、ＡＧＣ電圧生成手段１４では、中間周波数信号ｅにおけるアナログ放送信号の振幅に補正処理をし、補正した値を基にしてＡＧＣ電圧を生成し、ＲＦ増幅部１３に与える。なお、信号ｍに対する補正を行う補正器１８は、必ずしもＡＧＣ電圧生成手段１４内に設けなくてもよく、例えば、振幅測定手段１７とＡＧＣ切替えスイッチ１５との間に設けてもよい。
図３に示す例では、アナログ放送の電力スペクトラム強度が−１７ｄｂ、ディジタル放送の電力スペクトラム強度が−４２ｄｂであるから、その差が２５ｄｂであり、同一のＲＦ増幅回路を通過した後の振幅比Ｎ／Ｍは１／１７．８（約０．０５６）となる。従って前記した１より小さい係数ｋの値として０．０５６を設定すれば、ＲＦ増幅部１３における増幅度はアナログ放送とディジタル放送とで同一になるが、ダイナミックレンジの観点から、中間周波数信号における前記振幅値の比Ｍ：Ｎを例えば２：１になるようにするには、前記係数ｋの値を０．５に設定する。
【００４０】
振幅測定手段１７の出力ｍとｎはＡＧＣ切替えスイッチ１５に与えられ、ＡＧＣ切替えスイッチ１５は、前記放送方式選択信号ｓが１の時には前記信号ｍを選択し、前記放送方式選択信号ｓが０の時には前記信号ｎを選択して、信号ｌとしてＡＧＣ電圧生成手段１４に供給する。また、放送がアナログ放送のみのときは、ＡＧＣ切替えスイッチ１５で信号ｍが選択され、補正器１８で補正した振幅値がＡＧＣ電圧の生成に用いられ、放送がディジタル放送、又はアナログ放送とディジタル放送の両方であるときは、ＡＧＣ切替えスイッチ１５で信号ｎが選択され、該振幅値ＮがＡＧＣ電圧の生成に用いられる。
ＡＧＣ電圧生成手段１４は、ＡＧＣ切替えスイッチ１５から供給された前記信号ｌに応じたＡＧＣ電圧を生成してＲＦ増幅部１３に供給し、これにより、中間周波数信号ｅの振幅は所定値になるように制御される。
【００４１】
図２に示すように、放送方式判別装置２０は、ＲＦ増幅部１３の中間周波フィルタ１３Ｄから出力された中間周波数信号ｅを用いて、受信された信号の放送方式がアナログ放送であるか、ディジタル放送であるかを判別し、その結果を放送方式判別信号ｃとしてＭＰＵ３５に出力する。放送方式判別装置２０は例えば図２に示すように構成され、構成の一部に後述する振幅測定手段１７を兼用することも出来る。
【００４２】
放送方式判別装置２０は、第１振幅測定手段２９、ハイパスフィルタ（ＨＰＦ）２７、第２振幅測定手段３１、比較＆判別手段３３で構成される。ここに、比較＆判別手段３３はＭＰＵ３５で構成しても良い。放送方式判別装置２０で放送方式を判別する場合は、放送方式にかかわらず、ＡＧＣ切替えスイッチ１５は信号ｍを選択し、該信号ｍは補正器１８で補正される。これは、中間周波数信号にアナログ放送信号が含まれている場合であっても、ＲＦ増幅部１３が飽和しないようにするためであり、放送方式が判別された後は、その放送方式に応じてＡＧＣ切替えスイッチ１５の接続や補正器１８による補正の有無が制御される。
【００４３】
第１振幅測定手段２９では、中間周波数信号ｅの振幅を測定する。前記したように、ＦＭオーディオ放送とディジタル放送とでは、その信号の振幅はＦＭオーディオ放送の方が大きいから、第１振幅測定手段２９では、放送がＦＭオーディオ放送のとき、及び、ＦＭオーディオ放送とディジタル放送の混在放送のときは、ＦＭオーディオ放送信号の振幅が測定され、ディジタル放送のみのときは、ディジタル放送信号の振幅が測定されることになる。第１振幅測定手段２９の出力は、値Ｍを有する信号ｍとして、比較＆判別手段３３及びＡＧＣ切替えスイッチ１５に与えられる。
【００４４】
ハイパスフィルタ（ＨＰＦ）２７は、中間周波数信号ｅの中心周波数より例えば１２９ｋＨｚ高い遮断周波数を有する高周波通過フィルタである。これにより、ハイパスフィルタ（ＨＰＦ）２７を通過するのは、ディジタル放送信号だけとなる。即ち、中間周波数信号ｅにおいて、ＦＭオーディオ放送信号の両側に分布するディジタル放送信号のスペクトラムのうち、片側だけがハイパスフィルタ（ＨＰＦ）２７を通過して、第２振幅測定手段３１に与えられる。従って、第２振幅測定手段３１ではディジタル放送信号の振幅が測定され、振幅値Ｎを有する信号ｎとして比較＆判別手段３３及び前記ＡＧＣ切替えスイッチ１５に与えられる。
【００４５】
比較＆判別手段３３は、前記振幅値Ｍ、Ｎの振幅を調べて、放送方式を判断する。即ち、前記振幅値Ｎが略ゼロ又は所定値以下であり、Ｍが所定値以上である場合には、放送がＦＭオーディオ放送のみであると判断する。また、ＭとＮが略同一値で且つ所定値以上であるときは、放送がディジタル放送のみであると判断する。さらに、前記振幅値Ｍ及びＮが所定値以上であり、且つＭ／Ｎが１より大きい所定値以上である場合には、放送がＦＭオーディオ放送とディジタル放送との混在放送であると判断する。そして、比較＆判別手段３３は放送方式判別信号ｃをＭＰＵ３５に与える。
【００４６】
ＭＰＵ３５は前記放送方式判別信号ｃに応じて放送方式選択信号ｓをＡＧＣ切替えスイッチ１５とＡＧＣ電圧生成手段１４とに与え、これに応じて前記放送方式スイッチ１５は、前記ｓが１の時は信号ｍを選択してＡＧＣ電圧生成手段１４に与え、前記ｓが０の時は信号ｎを選択してＡＧＣ電圧生成手段１４に与える。ＡＧＣ電圧生成手段１４では、放送方式選択信号ｓが０のときは、振幅値Ｎを基にしてＡＧＣ電圧を生成し、放送方式選択信号ｓが１のときは、振幅値Ｍに対して所定の係数ｋを乗算し、その結果の値を基にして、ＡＧＣ電圧を生成する。
【００４７】
図６は本発明における振幅測定手段及び放送方式判別装置の第２実施例を示すブロック図である。図６と図２で異なる点は、振幅測定手段の構成だけである。即ち、図６に示す振幅測定手段１７Ａでは、第１振幅測定手段２９の前段にＢＰＦ２５が設けられ、第２振幅測定手段３１の前段にローパスフィルタ（ＬＰＦ）２７Ｂが配置されている点である。
ＢＰＦ２５は、一つのＦＭオーディオ放送の信号のスペクトルが分布する周波数範囲を通過帯域とする帯域通過フィルタであり、ディジタルオーディオ放送の成分を含めない、より正確な振幅測定を行うためのフィルタである。そして、その中心周波数は前記中間周波数信号ｅの中心周波数と同一で、通過帯域幅は例えばＦＭオーディオ放送のスペクトラムが分布する周波数範囲である２５８ｋＨｚに設定する。これにより、第１振幅測定手段２９では、ディジタル放送信号成分が混入していない、ＦＭオーディオ放送信号成分のみの測定が出来るから、ＦＭオーディオ放送信号の振幅をより正確に測定できる。
【００４８】
ＬＰＦ２７Ｂは、ＦＭオーディオ放送信号を通さず、ディジタル放送信号成分のみを通過させるためのフィルタであり、その遮断周波数は、中間周波数信号ｅの中心周波数から所定値だけ低い周波数に設定する。前記遮断周波数は、図３に示した、ＦＭオーディオ放送信号のスペクトラムとＦＭオーディオ放送信号のスペクトラムが切り替わる周波数であり、例えば、前記中間周波数信号ｅの中心周波数より１２９ｋＨｚ低い値に設定する。これにより、第２振幅測定手段３１では、ＦＭオーディオ放送信号成分が混入していない、ディジタル放送信号成分のみの測定が出来るから、ディジタル放送信号の振幅をより正確に測定できる。
【００４９】
以上詳細に述べた通り、本発明のディジタル放送受信装置によれば、アナログ放送とディジタル放送とが混在する電波環境において、受信した放送がアナログ放送であるか、ディジタル放送であるかを判別する放送方式判別が、Ｉ／Ｑ検波やディジタル復調の前の信号を用いて短時間で行われる。また、受信したディジタル放送の信号レベル（振幅）又はＦＭオーディオ放送の信号レベルが正確に測定出来る。そしてＡＧＣ電圧を生成する際に、受信した信号の振幅として補正前の値を用いるか、補正後の値を用いるかが、受信を希望する放送の放送方式に適合する方へ、前記放送方式の判別結果に応じて切り替えられる。従って、受信後ＲＦ増幅部の利得を速やかに適正値に制御することが出来るようになる。
【図面の簡単な説明】
【図１】本発明放送受信装置の一実施例を示すブロック図である。
【図２】本発明における振幅測定手段及び放送方式判別装置の第１実施例を示すブロック図である。
【図３】ＩＢＯＣシステム放送方式における送信時の電力スペクトル分布を示す図である。
【図４】従来のアナログ/ディジタル兼用受信装置の一例を示すブロック図である。
【図５】本発明における放送方式判別信号ｃと放送方式選択信号ｓと復調制御信号ｕの一例を示す図である。
【図６】本発明における振幅測定手段及び放送方式判別装置の第２実施例を示すブロック図である。
【符号の説明】
１３    ＲＦ増幅部
１４    ＡＧＣ電圧生成手段
１５    ＡＧＣ切り替えスイッチ
１７    振幅測定手段
１８    補正器
１９    ＯＦＤＭ復調器
２０    放送方式判別装置
２１    チャンネルデコーダ
２３    復号器
２５    帯域通過フィルタ（ＢＰＦ）
２７    ハイパスフィルタ（ＨＰＦ）
２７Ｂ    ローパスフィルタ（ＬＰＦ）
２９    第１振幅測定手段
３１    第２振幅測定手段
３３、３３Ａ    比較＆判別手段
３５    マイクロプロセッサ（ＭＰＵ）
【図１】
0003673997.tif 000002
【図２】
0003673997.tif 000003
【図３】
0003673997.tif 000004
【図４】
0003673997.tif 000005
【図５】
0003673997.tif 000006
【図６】
0003673997.tif 000007